(57)【要約】【課題】ＩＣカードが熱により故障するのを防止可能なテレビジョン受信機およびテレビジョン受像機を提供する。【解決手段】ファンを回転させてＩＣカードを冷却し、予め記憶されたカードスロットに装着されたＩＣカードの温度と温度センサの計測温度との相関を示す情報と、温度センサの計測温度とに基づいて、ＩＣカードの温度を検出する。ＩＣカードの温度が許容温度を上回ったときに、ファンが故障したと判断し、ＩＣカードに内蔵されたデスクランブラでデスクランブルする可能性があるケーブルテレビ放送信号に基づく映像を表示しかつ音声を出力するケーブルテレビ放送視聴モード中であれば、デスクランブルする可能性がない地上波放送信号または外部入力信号に基づく映像を表示しかつ音声を出力する地上波放送視聴モードまたは外部入力視聴モードへ切り替え、ＩＣカードへの供給電圧をＯＦＦし、ケーブルテレビ放送視聴モードへの切り替えを禁止する。【選択図】図２
2008219731.tif 000002
【特許請求の範囲】
【請求項１】
スクランブルされた信号をデスクランブルするデスクランブラを内蔵したＩＣカードが着脱可能なカードスロットと、前記カードスロットへの前記ＩＣカードの装着を検出する装着検出手段と、ファンと、前記ファンの回転数を検出する回転数検出手段と、温度センサと、表示手段と、音声出力手段と、記憶手段と、各部の動作を制御する制御手段とを備え、ケーブルテレビ放送信号、地上波放送信号、または外部の映像機器からの入力信号を受信し、該信号から映像信号と音声信号を取得して、該映像信号を表示手段へ出力して映像を表示し、該音声信号を音声出力手段へ出力して音声を出力するテレビジョン受像機において、
前記記憶手段には、前記カードスロットに装着された前記ＩＣカードの温度と前記温度センサの計測温度との相関を示す情報が予め記憶されていて、
前記制御手段は、前記ファンを回転させて前記ＩＣカードを冷却し、
前記記憶手段の前記相関情報と前記温度センサの計測温度とに基づいて前記ＩＣカードの温度を検出し、
前記ＩＣカードの温度が許容温度を上回ったときに、前記ファンが故障したと判断し、前記ＩＣカードの前記デスクランブラでデスクランブルする可能性がある前記ケーブルテレビ放送信号に基づく映像を前記表示手段に表示しかつ音声を前記音声出力手段から出力する一方のモード中であれば、前記ＩＣカードの前記デスクランブラでデスクランブルする可能性がない前記地上波放送信号または前記外部入力信号に基づく映像を前記表示手段に表示しかつ音声を前記音声出力手段から出力する他方のモードへ切り替え、前記ＩＣカードへの供給電圧をオフし、前記ファンの故障を通知して前記ＩＣカードの抜き取りと前記ファンの交換を促す表示を前記表示手段に表示し、前記一方のモードへの切り替えを禁止し、この後のメイン電源のオフ時に、各部の状態を前記記憶手段に記録し、
メイン電源のオン時に、前記記憶手段から前回のメイン電源のオフ時の前記各部の状態の記録を読み込んで、該状態を継続し、前記装着検出手段により前記ＩＣカードの装着を検出すると、前記ファンへの供給電圧をオンし、前記回転数検出手段により前記ファンの回転数が一定の回転数以上になったことを検出すると、前記ファンが交換されて正常動作中であると判断して、前記ＩＣカードへの供給電圧をオンし、前記一方のモードへの切り替えを許可し、前記記憶手段から前記各部の状態の記録を消去することを特徴とするテレビジョン受像機。
【請求項２】
スクランブルされた信号をデスクランブルするデスクランブラを内蔵したＩＣカードが着脱可能なカードスロットと、ファンと、温度センサと、記憶手段と、各部の動作を制御する制御手段とを備えたテレビジョン受信機において、
前記記憶手段には、前記カードスロットに装着された前記ＩＣカードの温度と前記温度センサの計測温度との相関を示す情報が予め記憶されていて、
前記制御手段は、前記ファンを回転させて前記ＩＣカードを冷却し、
前記記憶手段の前記相関情報と前記温度センサの計測温度とに基づいて前記ＩＣカードの温度を検出し、
前記ＩＣカードの温度が許容温度を上回ったときに、前記ファンが故障したと判断し、前記ＩＣカードの前記デスクランブラでデスクランブルする可能性がある受信信号に基づく映像音声信号を出力する一方のモード中であれば、前記ＩＣカードの前記デスクランブラでデスクランブルする可能性がない受信信号に基づく映像音声信号を出力する他方のモードへ切り替え、前記ＩＣカードへの供給電圧をオフし、前記一方のモードへの切り替えを禁止することを特徴とするテレビジョン受信機。
【請求項３】
請求項２に記載のテレビジョン受信機において、
前記制御手段は、前記ＩＣカードの温度が許容温度を上回って、前記モードの切り替えと前記ＩＣカードへの供給電圧のオフを行った後、前記ＩＣカードの抜き取りと前記ファンの交換を促すような通知を行うことを特徴とするテレビジョン受信機。
【請求項４】
請求項２または請求項３に記載のテレビジョン受信機において、
前記制御手段は、前記ＩＣカードの温度が許容温度を上回った後のメイン電源のオフ時に、各部の状態を前記記憶手段に記録し、
メイン電源のオン時に、前記記憶手段から前回のメイン電源のオフ時の前記各部の状態の記録を読み込んで、該状態を継続することを特徴とするテレビジョン受信機。
【請求項５】
請求項２ないし請求項４のいずれかに記載のテレビジョン受信機において、
前記カードスロットへの前記ＩＣカードの装着を検出する装着検出手段と、
前記ファンの回転数を検出する回転数検出手段と、を備え、
前記制御手段は、メイン電源のオン時に、前記カードスロットに前記ＩＣカードが装着されていれば、前記ファンへの供給電圧をオンし、前記ファンの回転数が一定の回転数以上になれば、前記ファンが交換されて正常動作中であると判断して、前記ＩＣカードへの供給電圧をオンし、前記一方のモードへの切り替えを許可することを特徴とするテレビジョン受信機。
【発明の詳細な説明】
【技術分野】
【０００１】
本発明は、デスクランブラが内蔵されたＩＣカードを着脱可能なテレビジョン受像機およびテレビジョン受信機に関するものである。
【背景技術】
【０００２】
例えば北米地域で送信されるデジタルケーブルテレビ放送の有料チャンネルの放送信号は、スクランブル（暗号化処理）されている。この種の放送チャンネルの映像を対応する音声とともに視聴するには、スクランブルされた放送信号をデスクランブル（暗号の復号処理）しなければならない。デスクランブルするためのデスクランブラ（信号処理回路）は、一般にＰＣＭＣＩＡ（Personal Computer Memory Card International Association）等の規格に準拠したＩＣカードに内蔵されている。このため、北米向けのテレビジョン受像機、光ディスクレコーダやハードディスクレコーダといった映像機器、またはＳＴＢ（Set Top Box）等のようなテレビジョン受信機には、上記ＩＣカードを着脱するカードスロットが搭載されている（例えば特許文献３参照）。このテレビジョン受信機において、カードスロットに装着されたＩＣカードに電圧を供給して、デスクランブラ等の回路を動作させると、ＩＣカードが発熱する。北米のデジタルケーブル規格では、ＩＣカードが熱により故障するのを防ぐために、テレビジョン受信機のメイン電源のオンまたはオフにかかわらず、常にＩＣカードの温度を６５℃以下に保つことが規定されている。
【０００３】
一方、テレビジョン受信機に、内部の温度を計測する温度センサと、内部を冷却するファンとを内蔵することが一般的に行われている（例えば特許文献１および特許文献２参照）。特許文献１では、温度センサの計測温度に基づいてファンの回転数を制御し、ファンが回転していないことまたは温度センサの計測温度が上限値を越えたことを検出すると、ＣＡＴＶセンタに異常を通報して、警報を出力し、ＣＡＴＶセンタからの応答を受けると、各部への電源の供給を遮断する。特許文献２では、各放送チャンネルの信号レベルをレベルメータで計測し、温度センサの計測温度に基づいてファンへの電圧供給元を切り替え、温度センサの計測温度がレベルメータの動作可能温度範囲から外れると、レベルメータへの電源の供給を停止し、システム管理者に無線電話で通報する。また、特許文献３では、ＩＣカードの着脱をカード検出回路で検出し、受信した放送信号に試験信号を多重化してＩＣカードへ入力し、ＩＣカードからの出力信号から試験信号を検出できなければ、ＩＣカードが故障したと判定して、該判定結果をテレビ画面に表示し、ＩＣカードを本体から電気的に切り離し、該故障の影響が受信機全体に及ぶのを防止する。
【０００４】
【特許文献１】特開２００６−８０６００号公報
【特許文献２】特開２００３−３３３６２５号公報
【特許文献３】特開平１１−３５５７５１号公報
【発明の開示】
【発明が解決しようとする課題】
【０００５】
上述したＩＣカードを冷却するために、ファンをテレビジョン受信機に内蔵した場合、ファンが故障して正常に動作しなくなると、ＩＣカードが熱により故障するおそれがある。また、上述した特許文献１〜３では、ＩＣカードの正確な温度を検出できないため、ＩＣカードの温度が高くなったときに適切に対処できず、ＩＣカードの熱による故障を防げないおそれがある。
【０００６】
本発明は、上述した問題点を解決するものであって、その課題とするところは、ＩＣカードが熱により故障するのを防止することが可能なテレビジョン受信機およびテレビジョン受像機を提供することにある。
【課題を解決するための手段】
【０００７】
本発明では、スクランブルされた信号をデスクランブルするデスクランブラを内蔵したＩＣカードが着脱可能なカードスロットと、ファンと、温度センサと、記憶手段と、各部の動作を制御する制御手段とを備えたテレビジョン受信機において、記憶手段には、カードスロットに装着されたＩＣカードの温度と温度センサの計測温度との相関を示す情報が予め記憶されていて、制御手段は、ファンを回転させてＩＣカードを冷却し、記憶手段の相関情報と温度センサの計測温度とに基づいてＩＣカードの温度を検出し、ＩＣカードの温度が許容温度を上回ったときに、ファンが故障したと判断し、ＩＣカードのデスクランブラでデスクランブルする可能性がある受信信号に基づく映像音声信号を出力する一方のモード中であれば、ＩＣカードのデスクランブラでデスクランブルする可能性がない受信信号に基づく映像音声信号を出力する他方のモードへ切り替え、ＩＣカードへの供給電圧をオフし、一方のモードへの切り替えを禁止する。
【０００８】
このようにすると、テレビジョン受信機において、ＩＣカードの温度と温度センサの計測温度との相関情報と、温度センサの計測温度とに基づいて、カードスロットに装着されたＩＣカードの正確な温度を検出することができる。このため、ＩＣカードの温度が許容温度を上回ったときに、一方のモードから他方のモードへ切り替えたり、ＩＣカードへの供給電圧をオフしたり、一方のモードへの切り替えを禁止したりして、ＩＣカードの動作を停止して発熱を抑制するように適切に対処することができる。よって、ファンが故障して正常に動作しなくなっても、ＩＣカードが熱により故障するのを防止することが可能となる。また、前述の特許文献１、２では、ファンが故障したり内部温度がある温度を越えたりすると、各部への電源の供給を停止するので、テレビジョン受信機が使用できなくなるが、上記によると、ファンが故障したりＩＣカードの温度が許容温度を上回ったりしても、ＩＣカードを保護しつつ、テレビジョン受信機を他方のモードで使用することが可能となる。
【０００９】
また、本発明では、上記テレビジョン受信機において、制御手段は、ＩＣカードの温度が許容温度を上回って、モードの切り替えとＩＣカードへの供給電圧のオフを行った後、ＩＣカードの抜き取りとファンの交換を促すような通知を行う。
【００１０】
このようにすると、ユーザにファンの故障を気付かせて、ＩＣカードをカードスロットから抜き取ることや、サポートセンタにてファンを正常なものに交換することを、即座に行わせることができ、ＩＣカードが熱により故障するのを一層防止することが可能となる。
【００１１】
また、本発明では、上記テレビジョン受信機において、制御手段は、ＩＣカードの温度が許容温度を上回った後のメイン電源のオフ時に、各部の状態を記憶手段に記録し、メイン電源のオン時に、記憶手段から前回のメイン電源のオフ時の各部の状態の記録を読み込んで、該状態を継続する。
【００１２】
このようにすると、ファンが故障している間は、何度メイン電源をオンしてテレビジョン受信機を起動させても、ＩＣカードへの供給電圧がオンされず、一方のモードへの切り替えが禁止されるので、ＩＣカードの動作が開始されず発熱が抑制され、ＩＣカードが熱により故障するのを一層防止することが可能となる。また、メイン電源のオフ時にＩＣカードの抜き取りとファンの交換を促す通知を行ったことを記憶手段に記憶し、その後のメイン電源のオン時に該通知を再び行うことで、ユーザが忘れていたり、ユーザが入れ代わったりしても、ファンの故障を気付かせて、ＩＣカードの抜き取りやファンの交換を即座に行わせることができる。
【００１３】
また、本発明では、上記テレビジョン受信機において、カードスロットへのＩＣカードの装着を検出する装着検出手段と、ファンの回転数を検出する回転数検出手段とを備え、制御手段は、メイン電源のオン時に、カードスロットにＩＣカードが装着されていれば、ファンへの供給電圧をオンし、ファンの回転数が一定の回転数以上になれば、ファンが交換されて正常動作中であると判断して、ＩＣカードへの供給電圧をオンし、一方のモードへの切り替えを許可する。
【００１４】
このようにすると、故障したファンが正常なファンに交換されたことを検出して、即座にＩＣカードを動作させて、テレビジョン受信機を一方のモードでも使用できるように復帰させることが可能となる。
【００１５】
さらに、本発明の典型的な実施形態では、上記テレビジョン受信機は、上記構成に加えて、表示手段と音声出力手段とを備え、ケーブルテレビ放送信号、地上波放送信号、または外部の映像機器からの入力信号を受信し、該信号から映像信号と音声信号を取得して、該映像信号を表示手段へ出力して映像を表示し、該音声信号を音声出力手段へ出力して音声を出力するテレビジョン受像機から成る。このテレビジョン受像機において、制御手段は、ＩＣカードの温度が許容温度を上回ったときに、ファンが故障したと判断し、ＩＣカードのデスクランブラでデスクランブルする可能性があるケーブルテレビ放送信号に基づく映像を表示手段に表示しかつ音声を音声出力手段から出力する一方のモード中であれば、ＩＣカードのデスクランブラでデスクランブルする可能性がない地上波放送信号または外部入力信号に基づく映像を表示手段に表示しかつ音声を音声出力手段から出力する他方のモードへ切り替え、ＩＣカードへの供給電圧をオフし、ファンの故障を通知してＩＣカードの抜き取りとファンの交換を促す表示を表示手段に表示し、一方のモードへの切り替えを禁止し、この後のメイン電源のオフ時に、各部の状態を記憶手段に記録する。また、制御手段は、メイン電源のオン時に、記憶手段から前回のメイン電源のオフ時の各部の状態の記録を読み込んで、該状態を継続し、装着検出手段によりＩＣカードの装着を検出すると、ファンへの供給電圧をオンし、回転数検出手段によりファンの回転数が一定の回転数以上になったことを検出すると、ファンが交換されて正常動作中であると判断して、ＩＣカードへの供給電圧をオンし、一方のモードへの切り替えを許可し、記憶手段から各部の状態の記録を消去する。
【００１６】
このようにすると、テレビジョン受像機において、カードスロットに装着されたＩＣカードの正確な温度を検出できるので、ＩＣカードの温度が許容温度を上回ったときに、ＩＣカードの動作を停止して発熱を抑制するように適切に対処することができる。このため、ファンが故障して正常に動作しなくなっても、ＩＣカードが熱により故障するのを防止することが可能となる。また、ＩＣカードの動作を停止して、ケーブルテレビ放送の映像を表示し音声を出力する一方のモードでの使用のみを禁止するので、テレビジョン受像機を地上波放送または外部入力の映像を表示し音声を出力する他方のモードで使用して、該映像と音声を視聴して楽しむことが可能となる。また、ファンの故障を通知してＩＣカードの抜き取りとファンの交換を促す表示を表示手段に表示させるので、ユーザに即座にファンの故障を気付かせて、ＩＣカードの抜き取りとファンの交換を行わせることができる。また、ＩＣカードの温度が許容温度を上回ったときの各部の状態を、次回起動したときに継続するので、ファンが故障している間は何度起動しても、ＩＣカードの動作が開始されず発熱が抑制され、ＩＣカードが熱により故障するのを防止することが可能となる。さらに、メイン電源のオン時にファンが正常なものに交換されたことを検出し、即座にＩＣカードを動作させて、前回メイン電源オフ時の各部の状態の記録を消去するので、テレビジョン受像機を一方のモードでも使用可能に復帰させることができる。このため、以降はケーブルテレビ放送と地上波放送と外部入力のそれぞれの映像と音声を視聴して楽しむことが可能となる。
【発明の効果】
【００１７】
本発明によれば、ファンが故障しても、ＩＣカードの正確な温度を検出して、ＩＣカードの温度が許容温度を上回ったときに、ＩＣカードの動作を停止して発熱を抑制するように適切に対処することができ、ＩＣカードが熱により故障するのを防止することが可能となる。
【発明を実施するための最良の形態】
【００１８】
図１は、テレビジョン受像機１００のブロック図である。テレビジョン受像機１００は、本発明におけるテレビジョン受像機とテレビジョン受信機の一実施形態を構成する。制御部１は、ＣＰＵとＲＯＭやＲＡＭ等のメモリとＯＳＤ（On  Screen Display）回路２等から成る。制御部１は、テレビジョン受像機１００の各部を制御する。制御部１は、本発明における制御手段の一実施形態を構成する。テレビジョン受像機１００には、ＤＶＤ（Digital  Versatile Disc）やブルーレイディスク（Blu-ray  Disc；登録商標）等の光ディスクを取り扱う光ディスクプレーヤ、光ディスクレコーダ、ハードディスクレコーダ等のような映像機器がケーブル等により接続される。それらの外部の映像機器から出力された信号（映像音声信号等）は、入力端子３からテレビジョン受像機１００に入力される。入力端子３から入力される信号のことを、以下では外部入力信号という。テレビジョン受像機１００には、デジタルケーブルテレビ放送信号または地上波放送信号を伝送するケーブル等が接続される。これらの放送信号（搬送波）は、入力端子４からテレビジョン受像機１００に入力される。ケーブルテレビ放送の有料チャンネルの放送信号は、スクランブルされている。ケーブルテレビ放送の無料チャンネルの放送信号と地上波放送信号は、スクランブルされていない。
【００１９】
チューナ部５は、入力端子４を介して受信した放送信号より、選局されたチャンネルの周波数の信号を抽出して、ＭＰＥＧ（Moving Picture Experts Group）処理部６へ入力する。ＭＰＥＧ処理部６は、デモジュレータ７やデコーダ８等のような、ＭＰＥＧ処理を行うための各種信号処理回路から成る。カードスロット９は、ＩＣカード１０を着脱可能である。ＩＣカード１０は、ＰＣＭＣＩＡの規格に準拠している。ＩＣカード１０には、スクランブルされたデジタルケーブルテレビ放送信号をデスクランブルするデスクランブラ（信号処理回路）１１が内蔵されている。制御部１のカード検出用に割り当てられたＧＰＩＯ（汎用Ｉ／Ｏポート）１ｂは、ＩＣカード１０の内蔵回路と接続されている。ＧＰＩＯ１ｂにかかる電圧レベルは、ＩＣカード１０がカードスロット９に装着されているときは高レベルになり、ＩＣカード１０がカードスロット９に装着されていないときは低レベルになる。制御部１は、ＧＰＩＯ１ｂの電圧レベルから、カードスロット９へのＩＣカード１０の装着の有無を検出する。制御部１のＧＰＩＯ１ｂは、本発明における装着検出手段の一実施形態を構成する。これ以外に、装着検出手段としてマイクロスイッチやフォトセンサ等を用いてもよい。
【００２０】
ＭＰＥＧ処理部６へ入力された地上波放送信号は、デモジュレータ７で復調された後、デコーダ８で映像音声信号にデコードされて、Ａ／Ｖ_ＳＷ１２へ入力される。ＭＰＥＧ処理部６へ入力されたデジタルケーブルテレビ放送信号は、デモジュレータ７で復調された後、ＩＣカード１０を経由して、デコーダ８で映像音声信号にデコードされて、Ａ／Ｖ_ＳＷ１２へ入力される。ＩＣカード１０へ入力されたデジタルケーブルテレビ放送信号のうち、スクランブルされた信号だけがデスクランブラ１１でデスクランブルされる。Ａ／Ｖ_ＳＷ１２は、信号スイッチ回路から成る。制御部１は、Ａ／Ｖ処理部１３へ入力する映像音声信号を、Ａ／Ｖ_ＳＷ１２によりＭＰＥＧ処理部６からの入力信号または入力端子３からの外部入力信号のいずれかに切り替える。Ａ／Ｖ処理部１３は、入力されたデジタルの映像音声信号に対してアナログ変換等の処理を施して映像信号と音声信号を取得し、該映像信号を表示部１４へ出力し、該音声信号を音声出力部１５へ出力する。表示部１４は、液晶ディスプレイ等から成り、本発明における表示手段の一実施形態を構成する。表示部１４は、入力された映像信号に基づく映像を表示する。音声出力部１５は、スピーカ等から成り、本発明における音声出力手段の一実施形態を構成する。音声出力部１５は、入力された音声信号に基づく音声を出力する。Ａ／Ｖ処理部１３には、ＯＳＤ回路２から映像信号が入力される。制御部１は、ＯＳＤ回路２とＡ／Ｖ処理部１３により、各種情報を表示部１４にオンスクリーン表示する。
【００２１】
記憶部１６は、揮発性または不揮発性のメモリ等から構成されている。記憶部１６は、本発明における記憶手段の一実施形態を構成する。操作部１７は、テレビジョン受像機１００の本体前面に設けられた操作パネルと、リモコン（リモートコントローラ）と、リモコン受信回路等から成る。操作パネルとリモコンには、テレビジョン受像機１００のメイン電源をＯＮ・ＯＦＦするスイッチやチャンネルキー等の各種キーが設けられている。温度センサ１８は、カードスロット９の近傍に設けられている。温度センサ１８が計測した温度は、制御部１のＡ／ＤまたはＩＣＣのポート１ｇに出力される。記憶部１６には、カードスロット９に装着されたＩＣカード１０の温度と温度センサ１８の計測温度との相関を示す情報Ｄ１が予め記憶されている。相関情報Ｄ１は、例えばテレビジョン受像機１００の製造段階等で、カードスロット９に装着されたＩＣカード１０の温度を別の温度検出手段で計測し、かつ温度センサ１８で温度を計測しながら、ファン２０を回転させずに、ＩＣカード１０への供給電圧をＯＮして、ＩＣカード１０にデジタルケーブル放送信号を入力して、デスクランブラ１１を動作させ続けたときの、ＩＣカード１０の温度と温度センサ１８の計測温度の対応関係を示すデータである。制御部１は、記憶部１６の相関情報Ｄ１と温度センサ１８の計測温度に基づいて、ＩＣカード１０の温度を検出する。また、制御部１は、後述するようにテレビジョン受像機１００のメイン電源のＯＦＦ時に、各部の状態を示す情報（状態記録Ｄ２）を記憶部１６に記録する。
【００２２】
ＳＷ１９は、電圧スイッチ回路から成る。ＩＣカード１０を動作させるには、ＩＣカード１０の仕様に応じて３．３Ｖまたは５Ｖの電圧をＩＣカード１０に供給する必要がある。制御部１の３．３Ｖ供給用に割り当てられたＧＰＩＯ１ｃと、５Ｖ供給用に割り当てられたＧＰＩＯ１ｄは、それぞれＳＷ１９と接続されている。制御部１は、ＩＣカード１０の仕様に応じてＧＰＩＯ１ｃ、１ｄからＳＷ１９に対して、ＩＣカード１０への供給電圧３．３Ｖまたは５ＶをそれぞれＯＮ（通電）またはＯＦＦ（遮断）する制御信号を出力する。
【００２３】
ファン２０は、カードスロット９の近傍に設けられている。ファン２０は、内蔵するモータ２１の駆動力により回転する。ＳＷ２２は、電圧スイッチ回路から成る。制御部１の電圧供給用に割り当てられたＧＰＩＯ１ｆは、ＳＷ２２と接続されている。制御部１は、ＧＰＩＯ１ｆからＳＷ２２に対して、ファン２０への供給電圧をＯＮまたはＯＦＦしたり供給電圧のレベルを変えたりする制御信号を出力する。制御部は、ファン２０を回転させて、ＩＣカード１０を冷却する。また、制御部１は、ＩＣカード１０の温度に基づいてファン２０の回転数を制御する。制御部１の回転数検出用に割り当てられたＧＰＩＯ１ｅはモータ２１と接続されている。制御部１は、モータ２１の駆動電流レベルをＧＰＩＯ１ｅより検出し、該レベルに基づいてファン２０の回転数を検出する。制御部１のＧＰＩＯ１ｅは、本発明における回転数検出手段の一実施形態を構成する。これ以外に、回転数検出手段としてエンコーダ等を用いてもよい。
【００２４】
図２は、テレビジョン受像機１００で行う異常検出対応処理の手順を示すフローチャートである。各処理は制御部１が実行する。テレビジョン受像機１００が起動した後、デジタルケーブルテレビ放送信号、地上波放送信号、または外部入力信号のいずれかを受信して、該信号に基づく映像を表示部１４に表示しかつ音声を音声出力部１５から出力する通常の映像音声出力動作中に（ステップＳ０）、制御部１は、記憶部１６の相関情報Ｄ１と温度センサ１８の生（ライブ）の計測温度とに基づいて、ＩＣカード１０の温度を周期的に検出する。通常の映像音声出力動作中は、カードスロット９にＩＣカード１０が装着され、該ＩＣカード１０への供給電圧がＯＮされ、ファン２０が回転してＩＣカード１０を冷却している。
【００２５】
ファン２０が正常に動作していないため、ＩＣカード１０の温度が予め設定した許容温度（例えば、６５℃）を上回ると（ステップＳ１：ＹＥＳ）、制御部１はファン２０が故障したと判断する（ステップＳ２）。そして、制御部１は、このときＩＣカード１０のデスクランブラ１１でデスクランブルする可能性があるケーブルテレビ放送信号に基づく映像を表示部１４に表示しかつ音声を音声出力部１５から出力するケーブルテレビ放送視聴モード中であれば（ステップＳ３：ＹＥＳ）、デスクランブラ１１でデスクランブルする可能性がない地上波放送信号または外部入力信号に基づく映像を表示部１４に表示しかつ音声を音声出力部１５から出力する地上波放送視聴モードまたは外部入力視聴モードへ切り替える（ステップＳ４）。上記において、デスクランブラ１１でデスクランブルする可能性があるケーブルテレビ放送信号とは、実際にスクランブルされているか否かにかかわらず、ＩＣカード１０へ入力させることが定められているケーブルテレビ放送の全ての放送信号のことである。切り替え先のモードは、予め設定されて記憶部１６に記憶されている。また、各種設定画面において、ユーザが切り替え先のモードを設定できるようにしてもよい。
【００２６】
また、制御部１は、異常が発生したため視聴モードを切り替えることを、表示部１４へのメッセージの表示により通知する（ステップＳ５）。図３は、このときの表示部１４の表示画面の一例を示す図である。表示部１４の画面Ｇ１中には、異常が発生したことを示すメッセージＭ１、ケーブルテレビ放送視聴モードを終了することを示すメッセージＭ２、および地上波放送視聴モードへ切り替えることを示すメッセージＭ３がそれぞれ表示されている。画面Ｇ１中のメッセージＭ１〜Ｍ３以外の部分には、ブルーバックやブラックバック等の固定映像または切り替え先のモードで取得した映像等が表示される。メッセージＭ１〜Ｍ３は一定時間表示される。一方、図２のステップＳ３でケーブルテレビ放送視聴モード中でなければ（ステップＳ３：ＮＯ）、制御部１は、現在の地上波放送視聴モードまたは外部入力視聴モードを継続する。
【００２７】
そして、制御部１は、ＩＣカード１０への供給電圧をＯＦＦし（ステップＳ６）、ファン２０が故障したためカードスロット９からのＩＣカード１０の抜き取りとファン２０の交換を促すことを、表示部１４へのメッセージの表示により通知する（ステップＳ７）。図４は、このときの表示部１４の表示画面の一例を示す図である。表示部１４の画面Ｇ２中には、ファン２０の故障を示すメッセージＭ４、ＩＣカード１０の抜き取りを促すメッセージＭ５、およびサポートセンタでのファン２０の交換を促すメッセージＭ６がそれぞれ表示されている。画面Ｇ２中のメッセージＭ４〜Ｍ６以外の部分には、切り替え先のモードで取得した映像等が表示される。メッセージＭ４〜Ｍ６は一定時間表示される。そして、制御部１は、以降のケーブルテレビ放送視聴モードへの切り替えを禁止する（図２のステップＳ８）。具体的には、内蔵のメモリ等に設けたケーブルテレビ放送視聴モードの禁止フラグをＯＮし、操作部１７が操作されてケーブルテレビ放送のチャンネルが選局されても、該チャンネルの映像と音声を出力するための動作を各部に行わせないようにし、該映像と音声を視聴できないようにする。
【００２８】
この後、制御部１は、テレビジョン受像機１００のメイン電源をＯＦＦする時に（ステップＳ９：ＹＥＳ）、各部の状態を記憶部１６に記録し（ステップＳ１０、図１の状態記録Ｄ２）、処理を終了する。ステップＳ１０で作成される状態記録Ｄ２の内容としては、例えばＩＣカード１０の温度異常が発生したこと、ファン２０が故障したこと、ＩＣカード１０への供給電圧をＯＦＦしたこと、ファン２０の故障および交換とＩＣカード１０の抜き取りとを通知したこと、並びにケーブルテレビ放送視聴モードへの切り替えを禁止したことがある。メイン電源をＯＦＦすることで、各部への電源供給がＯＦＦ（停止）されて、テレビジョン受像機１００が作動終了状態になる。ステップＳ９のメイン電源のＯＦＦは、ステップＳ８の後に制御部１が強制的に行ってもよいし、またはユーザによりメイン電源スイッチがＯＦＦ操作されたとき若しくはタイマがメイン電源ＯＦＦ時間になったときに制御部１が行ってもよい。
【００２９】
図５は、テレビジョン受像機１００で行う異常復帰処理の手順を示すフローチャートである。各処理は制御部１が実行する。先ず制御部１は、テレビジョン受像機１００のメイン電源をＯＮする時に（ステップＳ１１：ＹＥＳ）、記憶部１６にて前回終了時（メイン電源のＯＦＦ時）の各部の状態記録Ｄ２を検索する（ステップＳ１２）。メイン電源をＯＮすることで、各部への電源供給がＯＮ（開始）されて、テレビジョン受像機１００が起動状態になる。ステップＳ１１のメイン電源のＯＮは、ユーザによりメイン電源スイッチがＯＮ操作されたときまたはタイマがメイン電源ＯＮ時間になったときに制御部１が行う。制御部１は、前回終了時に記憶部１６に状態記録Ｄ２を記録しなかったため、該状態記録Ｄ２を記憶部１６から見つけられず読み込むことができなければ（ステップＳ１３：ＮＯ）、処理を終了する。一方、制御部１は、前回終了時に記憶部１６に状態記録Ｄ２を記録したため、該状態記録Ｄ２を記憶部１６から見つけて読み込むことができれば（ステップＳ１３：ＹＥＳ）、該状態記録Ｄ２が示す前回の各部の状態を継続する（ステップＳ１４）。具体的には、制御部１は、前回の作動中にＩＣカード１０の温度異常とファン２０の故障を検出して、ＩＣカード１０への供給電圧をＯＦＦし、ファン２０の故障および交換とＩＣカード１０の抜き取りとを通知し、ケーブルテレビ放送視聴モードへの切り替えを禁止したことを状態記録Ｄ２から認識し、例えばＩＣカード１０への供給電圧をＯＦＦ状態のままにし、ケーブルテレビ放送視聴モードへの切り替えを禁止状態のままにする。
【００３０】
そして、制御部１は、カードスロット９にＩＣカード１０が装着されていることを検出すると（ステップＳ１５：ＹＥＳ）、ファン２０への供給電圧をＯＮして（ステップＳ１６）、ファン２０の回転数を周期的に検出する。しばらくしてファン２０の回転数が供給電圧のレベルに対応する一定の回転数以上にならなければ（ステップＳ１７：ＮＯ）、制御部１は、ファン２０が交換されておらず異常動作中であると判断する（ステップＳ１８）。そして、制御部１は、ファン２０が故障したためＩＣカード１０の抜き取りとファン２０の交換とを促すことと、ケーブルテレビ放送視聴モードで使用できないこととを、表示部１４へのメッセージの表示により通知して（ステップＳ１９）、処理を終了する。図６は、このときの表示部１４の表示画面の一例を示す図である。表示部１４の画面Ｇ３中には、ファン２０の故障を示すメッセージＭ４、ＩＣカード１０の抜き取りを促すメッセージＭ５、ファン２０の交換を促すメッセージＭ６、および現在ケーブルテレビ放送視聴モードでの使用が不可能なことを示すメッセージＭ７がそれぞれ表示されている。画面Ｇ３中のメッセージＭ４〜Ｍ７以外の部分には、地上波放送視聴モードまたは外部入力視聴モードで取得した映像等が表示される。メッセージＭ４〜Ｍ７は一定時間表示される。
【００３１】
一方、ファン２０への供給電圧をＯＮした後、しばらくしてファン２０の回転数が一定の回転数以上になれば（図５のステップＳ１７：ＹＥＳ）、制御部１は、ファン２０が交換されて正常動作中であると判断する（ステップＳ２０）。そして、制御部１は、ＩＣカード１０への供給電圧をＯＮして（ステップＳ２１）、ケーブルテレビ放送視聴モードへの切り替えを許可する（ステップＳ２２）。具体的には、ケーブルテレビ放送視聴モードの禁止フラグをＯＦＦし、操作部１７が操作されて、ケーブルテレビ放送のチャンネルが選局されたときに、該チャンネルの映像と音声を出力するための動作を各部に行わせて、該映像と音声を視聴できるようにする。そして、制御部１は、記憶部１６から前回終了時の状態記録Ｄ２を消去して（ステップＳ２３）、処理を終了する。
【００３２】
以上の実施形態によると、テレビジョン受像機１００において、ＩＣカード１０の温度と温度センサ１８の計測温度との相関情報Ｄ１と、温度センサ１８の計測温度とに基づいて、カードスロット９に装着されたＩＣカード１０の正確な温度を検出することができる。このため、ＩＣカード１０の温度が許容温度を上回ったときに、ケーブルテレビ放送視聴モードから地上波放送視聴モードまたは外部入力視聴モードへ切り替えたり、ＩＣカード１０への供給電圧をＯＦＦしたり、ケーブルテレビ放送視聴モードへの切り替えを禁止したりして、ＩＣカード１０の動作を停止して発熱を抑制するように適切に対処することができる。よって、ファン２０が故障して正常に動作しなくなっても、ＩＣカード１０が熱により故障するのを防止することが可能となる。
【００３３】
また、前述した特許文献１、２では、ファン２０が故障したり、内部温度がある温度を越えたりすると、各部への電源の供給を停止するので、テレビジョン受信機が使用できなくなる。然るに、以上の実施形態によると、ＩＣカード１０の動作を停止して、ケーブルテレビ放送視聴モードでの使用のみを禁止するので、ファン２０が故障したり、ＩＣカード１０の温度が許容温度を上回ったりしても、ＩＣカード１０を保護しつつ、テレビジョン受像機１００を地上波放送視聴モードまたは外部入力視聴モードで使用して、該映像と音声を視聴して楽しむことが可能となる。
【００３４】
また、ファン２０の故障を通知してＩＣカード１０の抜き取りとファン２０の交換を促すメッセージＭ４〜Ｍ６を表示部１４に表示させるので、ユーザに即座にファン２０の故障を気付かせて、ＩＣカード１０の抜き取りとファン２０の交換を行わせることができる。また、メイン電源をＯＮした後、故障中のファン２０が交換されていない場合に、メッセージＭ４〜Ｍ６と、ケーブルテレビ放送視聴モードで使用できないことを示すメッセージＭ７とを表示部１４に表示させるので、ユーザが忘れていたり、ユーザが入れ代わったりしても、ユーザにファン２０が故障していることとケーブルテレビ放送視聴モードで使用できないこととを再度通知して、ＩＣカード１０の抜き取りとファン２０の交換を即座に行わせることができる。よって、ＩＣカード１０が熱により故障するのを一層防止することが可能となる。また、異常が発生したため視聴モードを強制的に切り替えることを示すメッセージＭ１〜Ｍ３を表示部１４に表示させるので、ユーザが突然の視聴モードの変更で不安になるのを緩和することができる。
【００３５】
また、ＩＣカード１０の温度が許容温度を上回ったときの各部の状態を、次回メイン電源をＯＮして起動したときに継続するので、ファン２０が故障している間は何度起動しても、ＩＣカード１０への供給電圧をＯＮせず、ケーブルテレビ放送視聴モードへの切り替えを禁止することができる。よって、ＩＣカード１０の動作が開始されず発熱が抑制され、ＩＣカード１０が熱により故障するのを一層防止することが可能となる。
【００３６】
さらに、メイン電源のＯＮ時にファン２０が正常なものに交換されたことを検出し、即座にＩＣカード１０を動作させて、前回終了時の状態記録Ｄ２を消去するので、テレビジョン受像機１００をケーブルテレビ放送視聴モードでも使用可能に復帰させることができる。このため、以降はケーブルテレビ放送と地上波放送と外部入力のそれぞれの映像と音声を視聴して楽しむことが可能となる。
【００３７】
本発明は、以上の実施形態以外にも種々の形態を採用することができる。例えば、以上の実施形態では、デジタルケーブルテレビ放送信号、地上波放送信号、および外部入力信号を受信するテレビジョン受像機１００に本発明を適用した例を挙げたが、本発明は、例えばデジタルまたはアナログのケーブルテレビ放送信号、地上波放送信号、衛星放送信号、および外部入力信号の少なくとも２つ以上を受信し、そのうちスクランブルされた受信信号を装着されたＩＣカードによりデスクランブルするテレビジョン受像機、光ディスクレコーダやハードディスクレコーダといった映像機器、またはＳＴＢ等のテレビジョン受信機にも適用することが可能である。
【００３８】
図７および図８は、他の実施形態を示す図である。図中、図１と同一部分には同一符号を付してある。図８に示すテレビジョン受信機１０２は、映像を表示する表示手段と、音声を出力する音声出力手段とを備えていない、光ディスクレコーダやハードディスクレコーダ等の映像機器またはＳＴＢ等から成る。光ディスクドライブやハードディスクドライブ等の記録装置は図示を省略している。図７に示すテレビジョン受像機１０１と図８のテレビジョン受信機１０２では、デジタルまたはアナログのケーブルテレビ放送信号、地上波放送信号、または衛星放送信号が入力端子４から入力される。これらの放送信号のうち、有料チャンネルの放送信号はスクランブルされていて、無料チャンネルの放送信号はスクランブルされていない。また、入力端子３から入力される外部入力信号もスクランブルされていない。チューナ部５ａは、上記放送信号を受信可能なアナログ／デジタル対応チューナから成る。チューナ部５ａは、入力端子４を介して受信した放送信号より、選局されたチャンネルの周波数の信号を抽出する。そして、チューナ部５ａは、そのうちデジタルの放送信号をＭＰＥＧ処理部６ａへ入力し、アナログの放送信号を映像音声信号に変換して、Ａ／Ｖ_ＳＷ１２ａへ入力する。
【００３９】
ＭＰＥＧ処理部６ａは、デジタルの放送信号のうち、スクランブルされた放送信号をデモジュレータ７からＩＣカード１０を経由してデコーダ８へ入力し、スクランブルされていない放送信号をデモジュレータ７からデコーダ８へ入力する。ケーブルテレビ放送信号、地上波放送信号、または衛星放送信号のうち、スクランブルされた信号はＩＣカード１０のデスクランブラ１１ａでデスクランブルされる。制御部１ａは、Ａ／Ｖ処理部１３（図７）またはＡ／Ｖ処理部１３ａ（図８）へ入力する映像音声信号を、Ａ／Ｖ_ＳＷ１２ａでＭＰＥＧ処理部６からの入力信号、チューナ部５ａからの入力信号、または入力端子３からの外部入力信号のいずれかに切り替える。図７のＡ／Ｖ処理部１３は、入力されたデジタルまたはアナログの映像音声信号のうち、映像信号を表示部１４に出力し、音声信号を音声出力部１５へ出力する。図８のＡ／Ｖ処理部１３ａは、入力されたデジタルまたはアナログの映像音声信号に対して、アナログ変換またはデジタル変換等の処理を施して、図示しない外部のテレビジョン受像機等へ出力端子２３から出力したり、内蔵する記録装置へ出力したりする。
【００４０】
図９は、テレビジョン受像機１０１またはテレビジョン受信機１０２で行う異常検出対応処理の手順を示すフローチャートである。図２と同一処理には同一符号を付してある。各処理は制御部１ａが実行する。ケーブルテレビ放送信号、地上波放送信号、衛星放送信号、または外部入力信号のいずれかを受信して、該受信信号に基づく映像音声信号を、Ａ／Ｖ処理部１３、１３ａから出力する通常の映像音声出力動作中に（ステップＳ０ａ）、ＩＣカード１０の温度が許容温度を上回ると（ステップＳ１：ＹＥＳ）、制御部１ａはファン２０が故障したと判断する（ステップＳ２）。そして、制御部１ａは、このときＩＣカード１０のデスクランブラ１１ａでデスクランブルする可能性がある受信信号に基づく映像音声信号を出力する有料出力モード中であれば（ステップＳ３ａ：ＹＥＳ）、デスクランブラ１１ａでデスクランブルする可能性がない受信信号に基づく映像音声信号を出力する無料出力モードへ切り替える（ステップＳ４ａ）。上記において、デスクランブラ１１ａでデスクランブルする可能性がある受信信号とは、実際にスクランブルされていて、ＩＣカード１０へ入力させることが定められている有料の放送チャンネルの放送信号のことである。受信信号が有料の放送チャンネルの放送信号であるか否かは、選局されている放送チャンネルが有料チャンネルか無料チャンネルかを確認することで判断できる。放送チャンネルの有料・無料の情報は、記憶部１６に予め記憶されている。デスクランブラ１１ａでデスクランブルする可能性がない受信信号とは、実際にスクランブルされておらず、ＩＣカード１０へ入力させることが定められていない無料の放送チャンネルの放送信号と外部入力信号のことである。
【００４１】
また、制御部１ａは、異常が発生したため出力モードを切り替えることを通知する（ステップＳ５ａ）。テレビジョン受信機１０２の場合、例えば通知したい内容を示すメッセージ等を、接続されたテレビジョン受像機の表示部にオンスクリーン表示させる。一方、ステップＳ３ａで有料出力モード中でなければ（ステップＳ３ａ：ＮＯ）、制御部１ａは、現在の無料出力モードを継続する。そして、制御部１ａは、ＩＣカード１０への供給電圧をＯＦＦし（ステップＳ６）、ファン２０が故障したためカードスロット９からのＩＣカード１０の抜き取りとファン２０の交換とを促す通知を行う（ステップＳ７ａ）。このとき、ファン２０の交換等を促すことで、ユーザにファン２０の故障を察知させることができるので、ファン２０の故障の通知は省略してもよい。そして、制御部１ａは、以降の有料出力モードへの切り替えを禁止し（ステップＳ８ａ）、メイン電源をＯＦＦする時に（ステップＳ９：ＹＥＳ）、各部の状態を記憶部１６に記録して（ステップＳ１０ａ、図７および図８の状態記録Ｄ３）、処理を終了する。ステップＳ１０ａで作成される状態記録Ｄ３の内容としては、例えばＩＣカード１０の温度異常が発生したこと、ファン２０が故障したこと、ＩＣカード１０への供給電圧をＯＦＦしたこと、ファン２０の故障および交換とＩＣカード１０の抜き取りとを通知したこと、並びに有料出力モードへの切り替えを禁止したことがある。
【００４２】
図１０は、テレビジョン受像機１０１またはテレビジョン受信機１０２で行う異常復帰処理の手順を示すフローチャートである。図５と同一処理には同一符号を付してある。各処理は制御部１ａが実行する。先ず制御部１ａは、メイン電源をＯＮする時に（ステップＳ１１：ＹＥＳ）、記憶部１６にて前回の各部の状態記録Ｄ３を検索し（ステップＳ１２ａ）、該状態記録Ｄ３を読み込むことができれば（ステップＳ１３ａ：ＹＥＳ）、該状態記録Ｄ３が示す前回終了時の各部の状態を継続する（ステップＳ１４ａ）。具体的には、制御部１ａは、前回の作動中にＩＣカード１０の温度異常とファン２０の故障を検出して、ＩＣカード１０への供給電圧をＯＦＦし、ファン２０の故障および交換とＩＣカード１０の抜き取りとを通知し、有料出力モードへの切り替えを禁止したことを状態記録Ｄ３から認識し、例えばＩＣカード１０への供給電圧をＯＦＦ状態のままにし、有料出力モードへの切り替えを禁止状態のままにする。そして、制御部１ａは、ＩＣカード１０の装着を検出すると（ステップＳ１５：ＹＥＳ）、ファン２０への供給電圧をＯＮする（ステップＳ１６）。
【００４３】
しばらくしてファン２０の回転数が一定の回転数以上にならなければ（ステップＳ１７：ＮＯ）、制御部１ａは、ファン２０が交換されておらず異常動作中であると判断し（ステップＳ１８）、ファン２０が故障したためＩＣカード１０の抜き取りとファン２０の交換とを促し、かつ有料出力モードで使用できないことを通知して（ステップＳ１９ａ）、処理を終了する。一方、しばらくしてファン２０の回転数が一定の回転数以上になれば（ステップＳ１７：ＹＥＳ）、制御部１ａは、ファン２０が交換されて正常動作中であると判断し（ステップＳ２０）、ＩＣカード１０への供給電圧をＯＮして（ステップＳ２１）、有料出力モードへの切り替えを許可する（ステップＳ２２ａ）。そして、制御部１ａは、記憶部１６から前回終了時の状態記録Ｄ３を消去して（ステップＳ２３ａ）、処理を終了する。
【００４４】
以上の他の実施形態によると、テレビジョン受像機１０１およびテレビジョン受信機１０２において、相関情報Ｄ１と温度センサ１８の計測温度とに基づいて、カードスロット９に装着されたＩＣカード１０の正確な温度を検出することができる。このため、ＩＣカード１０の温度が許容温度を上回ったときに、有料出力モードから無料出力モードへ切り替えたり、ＩＣカード１０への供給電圧をＯＦＦしたり、有料出力モードへの切り替えを禁止したりして、ＩＣカード１０の動作を停止して発熱を抑制するように、適切に対処することができる。よって、ファン２０が故障して正常に動作しなくなっても、ＩＣカード１０が熱により故障するのを防止することが可能となる。また、ファン２０が故障したり、ＩＣカード１０の温度が許容温度を上回ったりしても、ＩＣカード１０を保護しつつ、テレビジョン受像機１０１およびテレビジョン受信機１０２を無料出力モードで使用することが可能となる。
【００４５】
また、ファン２０の故障を通知したり、ＩＣカード１０の抜き取りとファン２０の交換を促すように通知したり、有料出力モードで使用できないことを通知したりするので、ユーザに即座にファン２０の故障と有料出力モードでの使用不可を気付かせて、ＩＣカード１０の抜き取りとファン２０の交換を行わせることができ、ＩＣカード１０が熱により故障するのを一層防止することが可能となる。また、異常が発生したため出力モードを強制的に切り替えることを通知するので、ユーザが突然の視聴モードの変更で不安になるのを緩和することができる。また、ＩＣカード１０の温度が許容温度を上回ったときの各部の状態を、次回の起動時に継続するので、ファン２０が故障している間は何度起動しても、ＩＣカード１０への供給電圧がＯＮされず、有料出力モードへの切り替えが禁止され、ＩＣカード１０の動作が開始されず発熱が抑制され、ＩＣカード１０が熱により故障するのを一層防止することが可能となる。さらに、メイン電源のＯＮ時にファン２０が正常なものに交換されたことを検出し、即座にＩＣカード１０を動作させて、前回終了時の状態記録Ｄ３を消去するので、テレビジョン受像機１０１およびテレビジョン受信機１０２を有料出力モードでも使用可能に復帰させることが可能となる。
【図面の簡単な説明】
【００４６】
【図１】テレビジョン受像機のブロック図である。
【図２】異常検出対応処理のフローチャートである。
【図３】表示画面の一例を示す図である。
【図４】表示画面の一例を示す図である。
【図５】異常復帰処理のフローチャートである。
【図６】表示画面の一例を示す図である。
【図７】他のテレビジョン受像機のブロック図である。
【図８】テレビジョン受信機のブロック図である。
【図９】他の異常検出対応処理のフローチャートである。
【図１０】他の異常復帰処理のフローチャートである。
【符号の説明】
【００４７】
１、１ａ  制御部
１ｂ、１ｅ  ＧＰＩＯ
９  カードスロット
１０  ＩＣカード
１１、１１ａ  デスクランブラ
１４  表示部
１５  音声出力部
１６  記憶部
１８  温度センサ
２０  ファン
１００、１０１  テレビジョン受像機
１０２  テレビジョン受信機
Ｄ１  相関情報
Ｄ２、Ｄ３  状態記録
【図１】
2008219731.tif 000003
【図２】
2008219731.tif 000004
【図３】
2008219731.tif 000005
【図４】
2008219731.tif 000006
【図５】
2008219731.tif 000007
【図６】
2008219731.tif 000008
【図７】
2008219731.tif 000009
【図８】
2008219731.tif 000010
【図９】
2008219731.tif 000011
【図１０】
2008219731.tif 000012